(57)【要約】【課題】複数のポイントを測定するにあたって、検出される信号がどのポイントに関する情報であるのかを認識すること。【解決手段】試料の少なくとも１つの観察領域に対応する画像を取得する画像取得手段（画像処理／表示／指示装置８）と、取得した画像に関する任意の少なくとも１つの点を指定する指定手段（マウス２０）と、指定された点に対応する位置に測定点を配置する配置手段（ＣＰＵ３）と、配置された測定点における強度情報を表す信号を生成する生成手段と、この生成手段により生成された信号を検出する検出手段（光センサ２３）と、検出した信号を解析する信号解析手段（コンピュータ２５）とを有し、検出手段（光センサ２３）により検出される信号は、指定手段（マウス２０）により指定された任意の少なくとも１つの点に対応する信号である。【選択図】        図１
2005337738.tif 000002
【特許請求の範囲】
【請求項１】
試料の少なくとも１つの観察領域に対応する画像を取得する画像取得手段と、
この画像取得手段で取得した画像に関する任意の少なくとも１つの点を指定する指定手段と、
この指定手段で指定された点に対応する位置に測定点を配置する配置手段と、
この配置手段により配置された測定点における情報を表す信号を生成する生成手段と、
この生成手段により生成された信号を検出する検出手段と、
この検出手段で検出した信号を解析する信号解析手段とを有し、
前記検出手段により検出される信号は、前記指定手段により指定された任意の少なくとも１つの点に対応する信号であることを特徴とする信号解析装置。
【請求項２】
前記信号解析手段は、信号の解析に先立って、前記検出手段で検出した信号を記憶するための記憶手段を有することを特徴とする請求項１記載の信号解析装置。
【請求項３】
測定開始を伝える測定開始伝達手段を有し、この測定開始伝達手段からの測定開始信号と同期して、前記配置手段による測定点の配置、前記検出手段による信号の検出、及び前記信号解析手段による信号解析が実行されることを特徴とする請求項１記載の信号解析装置。
【請求項４】
前記検出手段により検出される信号は、光強度ゆらぎ信号であることを特徴とする請求項１〜３のいずれか１つに記載の信号解析装置。
【請求項５】
前記信号解析手段による信号解析は、前記光強度ゆらぎ信号の自己相関解析、相互相関解析、または光強度分布解析であることを特徴とする請求項４に記載の信号解析装置。
【請求項６】
前記検出手段により検出される信号は、蛍光信号であることを特徴とする請求項１〜５のいずれか１つに記載の信号解析装置。
【請求項７】
試料の少なくとも１つの観察領域に対応する画像を取得する画像取得ステップと、
この画像取得ステップにおいて取得した画像に関する任意の少なくとも１つの点を指定する指定ステップと、
この指定ステップにおいて指定された点に対応する位置に測定点を配置する配置ステップと、
この配置ステップにおいて配置された測定点における情報を表す信号を検出する検出ステップと、
この検出ステップにおいて検出した信号を解析する信号解析ステップとを有し、
前記検出ステップにおいて検出される信号は、前記指定ステップにおいて指定された任意の少なくとも１つの点に対応する信号であることを特徴とする信号解析方法。
【請求項８】
試料の少なくとも１つの観察領域に対応する画像を取得する画像取得手段と、
この画像取得手段で取得した画像に関する任意の少なくとも１つの点を指定する指定手段と、
この指定手段で指定された点に対応する位置に測定点を配置する配置手段とを有する試料観測装置と、
前記配置手段により配置された測定点における情報を表す信号を検出する検出手段と、
この検出手段で検出した信号を解析する信号解析手段とを有し、前記試料観測装置とは別体で構成された外部解析装置と、
を具備し、
前記外部解析装置は、前記試料観測装置からの信号に基いて、前記検出手段により検出される信号と、前記指定手段により指定された任意の少なくとも１つの点との対応付けを行うことを特徴とする信号解析システム。
【発明の詳細な説明】
【技術分野】
【０００１】
本発明は、信号解析装置、信号解析方法、並びに信号解析システムに関するものである。
【背景技術】
【０００２】
レーザ走査型光学顕微鏡において、例えば、特開平６−３００９７４号公報は、レーザ光源からのレーザ光を、ＡＯＤ、共振振動ミラー、及びガルバノミラーの３種の光走査手段によって偏向走査する構成を開示している。この場合、各光走査手段を駆動する駆動回路は、それぞれの制御形式に適した波形を発生供給するためのクロック生成回路と、正弦波生成回路と、鋸波生成回路とからの信号に従って動作する。各波形の生成回路は、同期信号源から供給される同期信号によって動作し、上記３種の光走査手段の同期が制御される。
【０００３】
また、特開平８−２３７６１１号公報は、同期信号によって水平方向及び垂直方向の大きさが規定された画像データを記憶する画像記憶装置又は走査変換装置において、前記同期信号と画像データとを同時に同一アドレスに記憶し、画像データの再生時には画像データと共に読み出された同期信号を使って走査変換などの処理を行う技術を開示している。
【特許文献１】特開平６−３００９７４号公報
【特許文献２】特開平８−２３７６１１号公報
【発明の開示】
【発明が解決しようとする課題】
【０００４】
上記した従来の技術においては、複数のポイント（測定点）の試料測定を行う場合に、検出される信号がどのポイントに関する情報であるのかを認識することが困難であった。
【０００５】
本発明は、このような課題に着目してなされたものであり、その目的とするところは、少なくとも１つのポイントを測定するにあたって、検出される信号がどのポイントに関する情報であるのかを認識することができる信号解析装置、信号解析方法、並びに信号解析システムを提供することにある。
【課題を解決するための手段】
【０００６】
上記の目的を達成するために、第１の発明は、信号解析装置であって、試料の少なくとも１つの観察領域に対応する画像を取得する画像取得手段と、この画像取得手段で取得した画像に関する任意の少なくとも１つの点を指定する指定手段と、この指定手段で指定された点に対応する位置に測定点を配置する配置手段と、この配置手段により配置された測定点における情報を表す信号を生成する生成手段と、この生成手段により生成された信号を検出する検出手段と、この検出手段で検出した信号を解析する信号解析手段とを有し、前記検出手段により検出される信号は、前記指定手段により指定された任意の少なくとも１つの点に対応する信号である。
【０００７】
また、第２の発明は、第１の発明に係る信号解析装置に関わり、前記信号解析手段は、信号の解析に先立って、前記検出手段からの検出信号を記憶するための記憶手段を有する。
【０００８】
また、第３の発明は、第１の発明に係る信号解析装置に関わり、測定開始を伝える測定開始伝達手段を有し、この測定開始伝達手段からの測定開始信号と同期して、前記配置手段による測定点の配置、前記検出手段による信号の検出、及び前記信号解析手段による信号解析が実行される。
【０００９】
また、第４の発明は、第１〜第３のいずれか１つの発明に係る信号解析装置に関わり、前記検出手段により検出される信号は、光強度ゆらぎ信号である。
【００１０】
また、第５の発明は、第４の発明に係る信号解析装置に関わり、前記信号解析手段による信号解析は、前記光強度ゆらぎ信号の自己相関解析、相互相関解析、または光強度分布解析である。
【００１１】
また、第６の発明は、第１〜第５のいずれか１つの発明に係る信号解析装置に関わり、前記検出手段により検出される信号は、蛍光信号である。
【００１２】
また、第７の発明は、信号解析方法であって、試料の少なくとも１つの観察領域に対応する画像を取得する画像取得ステップと、この画像取得ステップにおいて取得した画像に関する任意の少なくとも１つの点を指定する指定ステップと、この指定ステップにおいて指定された点に対応する位置に測定点を配置する配置ステップと、この配置ステップにおいて配置された測定点における情報を表す信号を検出する検出ステップと、この検出ステップにおいて検出した信号を解析する信号解析ステップとを有し、前記検出ステップにおいて検出される信号は、前記指定ステップにおいて指定された任意の少なくとも１つの点に対応する信号である。
【００１３】
また、第８の発明は、信号解析システムであって、試料の少なくとも１つの観察領域に対応する画像を取得する画像取得手段と、この画像取得手段で取得した画像に関する任意の少なくとも１つの点を指定する指定手段と、この指定手段で指定された点に対応する位置に測定点を配置する配置手段とを有する試料観測装置と、前記配置手段により配置された測定点における情報を表す信号を検出する検出手段と、この検出手段で検出した信号を解析する信号解析手段とを有し、前記試料観測装置とは別体で構成された外部解析装置と、を具備し、前記外部解析装置は、前記試料観測装置からの信号に基いて、前記検出手段により検出される信号と、前記指定手段により指定された任意の少なくとも１つの点との対応付けを行う。
【発明の効果】
【００１４】
本発明によれば、少なくとも１つのポイントを測定するにあたって、検出される信号がどのポイントに関する情報であるのかを認識することができるようになる。
【発明を実施するための最良の形態】
【００１５】
まず、本実施形態の概略を説明する。本実施形態におけるＬＳＭは、照射するレーザ光を指示手段により指示された位置に静止させることができ、照射位置の移動（＝走査）とともに所定の同期信号を出力する機能をもつ。ＬＳＭには外部解析装置が接続される。外部解析装置は、ＬＳＭからの同期信号により。最初測定ポイントからの走査の開始と、次の測定ポイントへのレーザ光の移動を認識することができる。外部解析装置は、試料からの反射光を検出するための光センサ（ＡＰＤ：アバランシェフォトダイオード）を備え、ＡＰＤ信号に対応する測定ポイントを後から認識させるため、ＡＰＤ信号と同期信号を１つのデータに合成し、それを連続して内部のメモリに取り込む。外部解析装置は、内部のソフトウェアにより、メモリ上のデータを処理してＡＰＤ信号を一定レートでカウントするとともに、入力された同期信号から記録時のチャンネル番号を求める。なお、光センサとしてＡＰＤに限らず光電子増倍管を用いても良い。
【００１６】
本実施形態での外部解析装置は、ＬＳＭからの同期信号を処理してＡＰＤ信号とともに記録するので、後からＡＰＤ信号に対応する測定ポイントを特定することができる。従って、ＬＳＭが試料上の複数の測定ポイントを時分割で繰り返し測定しても、外部解析装置は、取得したＡＰＤ信号を測定ポイント毎に切り分けてそれぞれの測定ポイントでの解析を行うことが可能になる。
【００１７】
図１は、本発明が適用される光信号解析装置の構成を示しており、ＬＳＭ部１と、該ＬＳＭ部１に接続される外部解析装置２とから構成される。図１において外部解析装置２はＬＳＭ部１と近接させて記載してあるが、このような構成に限定されず、例えばネットワークを介して所定の距離だけ離れた場所に配置しても良い。
【００１８】
ＬＳＭ部１では、レーザ発振器６からのレーザ光を、ハーフミラー５１、走査ミラー５、光学系５０を介して試料１５に照射する。このとき、ＣＰＵ３で生成された走査ミラー駆動信号コード９（複数ビットからなる論理信号で、その組み合わせが走査ミラー５の２次元的動作を示す）が走査ミラー駆動手段４に供給される。走査ミラー駆動手段４は、ＣＰＵ３からの走査ミラー駆動信号コード９を受けて、コードの示す値に応じて走査ミラー5を直接駆動する。これにより、走査ミラー５は、試料１５に対してレーザ光が２次元的に走査されるように駆動される。本実施形態では、試料１５上の任意の１点若しくは複数ポイントにレーザ光が順次移動、静止されるように制御される。
【００１９】
試料１５からの反射光は、光学系５０、走査ミラー５、ハーフミラー５１、５２を介して光センサ７により検出され光強度信号１１となる。画像処理/表示/指示装置８は、光強度信号１１と、試料１５を走査する際にＣＰＵ３が生成する走査位置情報信号１０を用いて試料画像１２を生成して画面ウインドウ１９に表示する。
【００２０】
一方、外部解析装置２では、試料１５からの反射光をハーフミラー５２を介して光センサ（ＡＰＤ）２３により検出し光センサ出力信号２４に変換する。コンピュータ２５は光センサ出力信号２４を用いてＦＣＳ（蛍光相関分光法）等による各種の解析を実施する。
【００２１】
以下に、試料１５上の任意の点（ポイント）にレーザ光を移動して静止させる方法について述べる。外部解析装置２においてＦＣＳ（蛍光相関分光法）演算などの解析を可能にするためには、正確な光のゆらぎをＡＰＤ信号のパルス列として捉えなくてはならず、試料１５上の特定の一点にレーザ光を静止させる必要がある。ここでは、試料１５上の任意の１点にレーザ光を静止させるかあるいは複数ポイントにレーザ光を順次移動させながら静止させることを考える。
【００２２】
次に、画面ウインドウ１９に表示された試料画像１２上に対して、操作者がレーザ光を一定時間静止するポイント１３を指定手段としてのマウス２０により１つ若しくは複数個指定する。画像処理/表示/指示装置８は、このマウス２０の位置座標を走査ミラー制御座標などに変換の上、例えば図示せぬ内部のメモリ上に保存しておく。
【００２３】
次に操作者が画像処理/表示/指示装置８上で測定開始指示の操作（例えば画面ウインドウ１９上の測定開始ボタン１４をクリックする）を実施すると、画像処理/表示/指示装置８は、走査ミラー制御座標を走査開始指示情報とともに走査制御情報１６として（例えばシリアル通信手段を使って）ＣＰＵ３に伝送する。
【００２４】
ＣＰＵ３は、走査制御情報１６に基づき、与えられたマウス２０の位置座標の情報から走査ミラー駆動信号コード９を生成して走査ミラー駆動手段４に送る。走査ミラー駆動手段４は、この走査ミラー駆動信号コード９に応じて走査ミラー５を駆動する。ここでＬＳＭ部１は、走査ミラー５を介した反射光に基いて画像１２を形成しているので、試料１５上のレーザ照射位置はマウス２０で指示した画像上のポイントと１対１で対応し、レーザ光は当該ポイントで静止することになる。マウス２０により複数のポイントが指定されている場合には、指定したポイントにレーザ光を順次移動した後に静止させる。このようにして、マウス２０により指定された点に対応する位置に測定ポイントが配置される。
【００２５】
この状態で試料１５からの反射光２２を外部解析装置２内の光センサ（ＡＰＤ）２３に入力する。コンピュータ２５は、光センサ（ＡＰＤ）２３からの光センサ出力信号２４を取り込んでＦＣＳなどの各種の解析を実施する。
【００２６】
ところで、試料１５上の任意の複数ポイントにレーザ光を移動させ、静止させる場合は、個々のポイントを区別するためにそれぞれのポイントに固有のチャンネル番号を付ける。ここでは繰り返して複数ポイントの走査及びその後の解析が容易に行えるように、チャンネル番号の付け方を例えば以下のルールによって規定する。
【００２７】
１．チャンネルは、試料１５上を複数のポイントで観測するにあたって、それぞれのポイントを区別する単位のこととする。
【００２８】
２．チャンネル番号とは、試料１５上を複数のポイントで観測するにあたって、それぞれの観測ポイントの物理的位置に対応する連続した番号であり、観測順に１から始まる。
【００２９】
３．チャンネルが複数設定されている場合に、特定のチャンネルから別のチャンネルに観測ポイントが移動する際にはチャンネルが切り替えられる。
【００３０】
４．チャンネルの総数は一定で、観測の途中で変化することはない。
【００３１】
５．チャンネルの移動の順番は一定で、飛び越したり、同一チャンネルに繰返し又は再度移動することはない。
【００３２】
６．全てのチャンネルの移動が終了したら、再び最初に移動したチャンネルに移動し、同じ動作を繰り返す。
【００３３】
以下に、任意のポイントからのサンプリングと、光センサ（ＡＰＤ）２３からの信号の相互関係について図２を用いて説明する。マウス２０により試料画像１２上に指定された１点若しくは複数ポイントに対応する、実際の試料１５上のポイントにレーザ光を順次移動、静止させる場合には、走査ミラー駆動信号コード９が走査ミラー駆動手段４に出力されるが、この走査ミラー駆動信号コード９の変化時すなわちポイント移動時に同期信号Ａ１７と同期信号Ｂ１８とがＣＰＵ３から外部解析装置２に出力される。同期信号Ａ１７は走査開始の同期信号であり、同期信号Ｂ１８はチャンネル切り替わり時の同期信号である。
【００３４】
このとき、外部解析装置２は光センサ出力信号２４を受信しつづけており、入力された同期信号Ａ１７と、同期信号Ｂ１８の立ち上がりをチャンネルの切替え認識用として利用することにより、光センサ出力信号２４をチャンネルごとに切り分けて解析できる。結果的に切り分けの範囲は１つのポイントの静止範囲と一致する。この切り分けと、解析の方法についてはコンピュータのソフトウェアを使用しており、詳細は後述する。
【００３５】
ここで、走査ミラー駆動信号コード９は、走査ミラー５を駆動してレーザ光が試料１５上を２次元的に指定位置に関して走査されるようにするために、走査ミラー駆動手段４に供給される複数ビットの信号であり、ビットの並びでＸ方向、Ｙ方向の駆動制御を同時に行っている。このため、試料１５上の任意の１点若しくは複数ポイントにレーザ光を順次移動、静止させるにあたって、その移動動作に適合した走査ミラー駆動コード９がＣＰＵ３から走査ミラー駆動手段４に順次与えられる。一方、ＣＰＵ３はその移動動作と同時に、２つの同期信号Ａ１７，Ｂ１８を生成して、前述のチャンネルの切り替え認識用として外部解析装置２に出力する。
【００３６】
以下に外部解析装置２による解析の一例を説明する。図３は、外部解析装置２の内部構成を示す図である。外部解析装置２は前記したように、主要な構成要素として光センサ（ＡＰＤ）２３と、コンピュータ２５とから構成される。そして、コンピュータ２５の内部には、光センサ出力信号２４を内部のメモリ２７に一連の情報として取り込むための手段として、例えばデータ転送ボード２６が配置されている。すなわち、光センサ出力信号２４は必要に応じて、取り込みクロック生成部２６ａで生成される取り込みクロックに基いてメモリ２７に転送される。
【００３７】
また、コンピュータ２５は解析用プログラムを備えており、メモリ２７に転送された情報を使って各種のデータ処理、演算を実施し、解析を行いその結果を表示する。解析の例としては、ＦＣＳ（蛍光相関分光法）があり、光子数の変動から分子のゆらぎをとらえ、自己相関解析により分子数、拡散速度など１分子動態計測を実施することができる。なお、信号解析は、相互相関解析、光強度分布解析であってもよい。
【００３８】
次に、光センサ出力信号２４と同期信号Ａ１７，Ｂ１８のコンピュータメモリへの取り込みの手順を図３のブロック図と、図４のデータ転送タイミングチャートを用いて説明する。
【００３９】
ＬＳＭ部１からの同期信号には上記したように、走査開始の同期信号Ａ１７、チャンネル切り替わり時の同期信号Ｂ１８とがある。それぞれの同期信号Ａ１７、Ｂ１８と、ＬＳＭ部１での試料１５からの反射光２２を電気信号に変換した光センサ出力信号２４とを、コンピュータ２５内のデータ転送ボード２６（図３）により、コンピュータ２５内のメモリ２７に時系列的に一連の情報として取り込む。これにより、メモリ２７の特定のアドレスに格納された特定の時点における同期信号Ａ１７，Ｂ１８と、光センサ出力信号２４の状態をコンピュータ２５のプログラムにより読み出すことができる。読み出したデータの特定ビットが同期信号Ａ１７，Ｂ１８及び光センサ出力信号（ＡＰＤ信号）２４の状態を表す。
【００４０】
また、取り込みにおいては、光センサ出力のパルス幅よりも短いタイミングで取り込みができるように取り込みクロックがデータ転送ボード２６内部の取り込みクロック生成部２６ａで生成され、メモリ２７への取り込みに利用される。
【００４１】
図４は、この取り込みタイミングの詳細を示している。最下段の数字列は、コンピュータ２５に取り込まれるメモリデータ値を示しており、それぞれの行が取り込みクロックの立ち上がり時での光センサ出力信号２４及び同期信号Ａ１７，Ｂ１８を示している。
【００４２】
一方、左から右に向かって書き込まれるメモリ２７のアドレスもデータ転送ボード２６により増加させるので、アドレスごとに１クロック分時間が経過したデータがメモリ２７に書き込まれる。
【００４３】
次に、チャンネル番号算出の手順の一例を主に図５を用いて説明する。コンピュータ２５の専用プログラムによって、メモリ２７（図３）上のデータをアドレス上位から順次読み取り、同期信号Ａ１７，Ｂ１８の立ち上がりに相当するビットの変化からチャンネル番号を以下の通り算出する。ここで、メモリ２７上データの特定ビットに同期信号Ａ１７，同期信号Ｂ１８，光センサ出力信号２４が時系列的に各アドレスに割り当てられている。
【００４４】
仮に、チャンネル番号算出用の変数Ａを定義しておき、同期信号Ａ１７に相当するビットが０から１となった立ち上がり時点で変数Ａ＝１とし、同期信号Ｂ１８に相当するビットが０から１となった時点（加えて同時に同期信号Ａ１７が０のままの時）で変数Ａのカウントアップを実施する。前述のとおり、チャンネルの総数、順番も一定であることから、変数Ａはチャンネル番号と一致する。
【００４５】
一方、ＣＰＵ３からの走査ミラー駆動信号コード９の変化は同期信号Ｂ１８の立ち上がりに同期するので、変数Ａが同一となる範囲はメモリ２７上に散在することになるが、変数Ａの値が同じであれば、その散在するメモリ２７上のデータの光センサ出力信号２４に対応する部分は、ＬＳＭ部１であらかじめマウス２０で指定した試料１５上の特定のポイントでの観測値を示すことになる。
【００４６】
ここでは、変数Ａをカウントアップする過程で、変数Ａが指定のチャンネル番号（ここでは２チャンネル）に等しいときのＡＰＤ信号のみを解析有効としてメモリ２７から抽出し、後の光センサ信号は無視する。
【００４７】
以上の例ではコンピュータ２５内のプログラムでメモリ２７の同期信号部分を順次読み出してその変化を検出することにより、チャンネル位置のカウント処理を実施しているが、これと同様な機能をコンピュータ２５の外部に持たせることも出来る。すなわち、データ転送ボード２６の前段に同期信号に対する電気回路によるカウンタを設けてチャンネル番号を生成し、このチャンネル番号を光センサ出力信号２４とともにデータ転送ポート２６（図３）を介してメモリ２７（図３）に転送する構成とする。これにより、コンピュータ２５のプログラムが単純となる。
【００４８】
次に解析処理の一例を図５を用いて説明する。解析処理はコンピュータ２５内の専用プログラムで実施する。解析の例としては、ＦＣＳ（蛍光相関分光法）があり、光子数の変動から分子のゆらぎをとらえ、自己相関分析により分子数、拡散速度など１分子動態計測を実施することができる。注目するチャンネルを切替えて処理を進め、メモリ２７上に散在するチャンネル番号を順次抽出、集約し、所定の演算手順にてＦＣＳ解析を実施してその結果を表示する。散在するデータの総合的な時間が長いほど解析の精度は向上する。
【００４９】
図６は、本実施形態の解析工程を説明するためのフローチャートである。まず、ＬＳＭ部１により試料１５の画像を取得して表示する（ステップＳ１）。次に、ＬＳＭ部１の画像表示領域内でマウス２０により１点もしくは複数ポイントを指定する。これが後で順次移動静止するためのポイントとなる（ステップＳ２）。次に、測定開始ボタン１４により測定開始を指示する（ステップＳ３）。これにより外部解析装置２は、同期信号Ａ１７，Ｂ１８に基いて光センサ２３からの光センサ出力信号２４をデータとして取得してメモリ２７に転送する（ステップＳ４）。
【００５０】
次にレーザ照射位置としての測定ポイントを移動して（ステップＳ５）、所定の時間静止させる（ステップＳ６）。次に測定終了か否かを判断し（ステップＳ６−１）、ＮＯの場合にはステップＳ５、Ｓ６を実行する。このようにして、ＬＳＭ部１内においてポイントを順次移動させる動作を所定の回数継続する。測定終了によりステップＳ６−１の判断がＹＥＳになったとき、外部解析装置２はメモリ２７へのデータの取り込みを終了し（ステップＳ７）、同期信号Ａ１７，Ｂ１８に基いてデータ処理（チャンネル切り分け）を実施する（ステップＳ８）。次に、外部解析装置２は、各種の解析を実施し（ステップＳ９）、終了する（ステップＳ１０）。
【００５１】
図７は、測定により取得したデータをＬＳＭ画像１００として画像処理／表示／指示装置８に表示したようすを示す図である。図７に示すＬＳＭ画像１００はＧＦＰで標識したHeLa細胞を試料とした場合を示している。
【００５２】
図８（Ａ）は図７に示すチャンネル１でのＦＣＳ測定結果、図８（Ｂ）は図７に示すチャンネル４でのＦＣＳ測定結果を示している。チャンネル１は細胞内、チャンネル４は細胞外のポイントである。図８（Ａ）に示す曲線は、相関カーブが右下がりで相関もあり、細胞内のデータであることがわかる。一方、図８（Ｂ）では、相関カーブが平坦で相関もなく、細胞外のデータであることが予測でき、いずれのデータも図７に示されたＬＳＭ画像上のチャンネル１、４の位置と一致していることが分かる。
【００５３】
なお、上記した実施形態では、ＬＳＭ部１と別体で外部解析装置２を構成したが、外部解析装置２の構成要素としての光センサ２３及びコンピュータ２５の少なくともいずれか一方をＬＳＭ部１に組み込むことにより、ＬＳＭ単体で光信号解析装置を構成しても良い。
【図面の簡単な説明】
【００５４】
【図１】本発明が適用される光信号解析装置の構成を示す図である。
【図２】任意のポイントからのサンプリングと、光センサ２３からの信号の相互関係を説明するための図である。
【図３】外部解析装置２の内部構成を示す図である。
【図４】データ転送に関するタイミングチャートである。
【図５】チャンネル番号算出の手順の一例を説明するための図である。
【図６】本実施形態の解析工程を説明するためのフローチャートである。
【図７】測定により取得したデータをＬＳＭ画像１００として画像処理／表示／指示装置８に表示したようすを示す図である。
【図８】（Ａ）は図７に示すチャンネル１でのＦＣＳ測定結果、（Ｂ）は図７に示すチャンネル４でのＦＣＳ測定結果を示す図である。
【符号の説明】
【００５５】
１…ＬＳＭ部、２…外部解析装置、３…ＣＰＵ、４…走査ミラー駆動手段、５…走査ミラー、６…レーザ発振器、７…光センサ、８…画像処理／表示／指示装置、１４…測定開始ボタン、２０…マウス、２３…光センサ（ＡＰＤ）、２５…コンピュータ。
【図１】
2005337738.tif 000003
【図２】
2005337738.tif 000004
【図３】
2005337738.tif 000005
【図４】
2005337738.tif 000006
【図５】
2005337738.tif 000007
【図６】
2005337738.tif 000008
【図７】
2005337738.tif 000009
【図８】
2005337738.tif 000010